(57)【要約】【課題】車両の運用効率を低下させることなく、ＰＭ捕集フィルターを損傷させずに強制再生することができる排ガス浄化装置の管理システムを提供する。【解決手段】車両に搭載されたディーゼルエンジン１の排気通路２に、インジェクタ３と、前段にＤＯＣ４が配置されたＰＭ捕集フィルタ５を格納する格納容器６とを上流側から順に設置してなる排ガス浄化装置７に対して、車両の外部に設置されたサーバー１１は、ＥＣＵ１０から送受信機１２を通じて送信されたＰＭ捕集フィルタ５におけるＰＭの堆積量が予め設定されたしきい値超となったときは、ＰＭを緩慢に燃焼させるためのマップデータから決定されるインジェクタ３からの燃料の噴射量及び噴射タイミングを送受信機１２を通じてＥＣＵ１０へ送信し、ディーゼルエンジン１がアイドリング状態であることを確認した後に、送信した燃料の噴射量及び噴射タイミングが実施されるようにＥＣＵ１０を通じてインジェクタ３を制御する。【選択図】図１
2016160810.tif 000002
【特許請求の範囲】
【請求項１】
車両に搭載されたディーゼルエンジンの排ガスが流れる排気通路に、インジェクタと、前段に酸化触媒が配置されたＰＭ捕集フィルタを格納する格納容器とを上流側から順に設置してなる排ガス浄化装置を管理する管理システムであって、
前記ディーゼルエンジン及び前記排ガス浄化装置を制御する制御手段と、前記格納容器の差圧と前記インジェクタからの燃料の噴射量及び噴射タイミングとの関係を示す予め設定されたマップデータを格納する前記車両の外部に設置された管理手段と、前記制御手段と前記管理手段との間のデータ交換を仲介する送受信機とを備え、
前記管理手段は、前記制御手段から前記送受信機を通じて送信された前記ＰＭ捕集フィルタにおけるＰＭの堆積量が予め設定されたしきい値超となったときは、前記送信された堆積量と前記マップデータとに基づいて決定される前記インジェクタからの燃料の噴射量及び噴射タイミングを該送受信機を通じて該制御手段へ送信し、
前記ディーゼルエンジンがアイドリング状態であることを前記制御手段を通じて確認した後に、前記送信したインジェクタからの燃料の噴射量及び噴射タイミングが実施されるように前記制御手段を通じて前記インジェクタを制御することを特徴とする排ガス浄化装置の管理システム。
【発明の詳細な説明】
【技術分野】
【０００１】
本発明は排ガス浄化装置の管理システムに関し、更に詳しくは、車両の運用効率を低下させることなく、ＰＭ捕集フィルターを損傷させずに強制再生することができる排ガス浄化装置の管理システムに関する。
【背景技術】
【０００２】
ディーゼルエンジンを搭載した車両においては、排ガスに含まれる粒子状物質（ＰＭ）や窒素酸化物（ＮＯｘ）などの有害物質を除去するための排ガス浄化装置が必要となる。前者のＰＭについてはＰＭ捕集フィルタが、後者のＮＯｘについては還元剤触媒システムやＮＯｘ吸蔵還元触媒などが、それぞれ実用化されている。
【０００３】
上記のＰＭ捕集フィルタは、排ガス中のＰＭを、セラミックス製のハニカム状多孔体のフィルタで捕集して浄化するものであるが、フィルタの目詰まりを防ぐために、捕集限界量に達する前にＰＭを燃焼させて除去する必要がある（例えば、特許文献１を参照）。
【０００４】
排ガスの温度が５００℃以上などの高温であるときには、ＰＭは連続的に自然燃焼する。しかし、排ガスの温度が低温のときには、排ガス中に未燃燃料を供給して、未燃燃料の炭化水素（ＨＣ）をフィルタの前段に配置された酸化触媒（ＤＯＣ）で燃焼させ、その酸化反応熱を利用してＤＯＣを６００℃程度に加熱することで、排ガスを昇温して捕集されたＰＭを強制的に燃焼させる強制再生が必要となる。
【０００５】
一般に強制再生は、車両の走行中に行われる自動再生と、ドライバーにより車両のアイドリング中に行われる手動再生とに大きく分けられる。しかしながら、ＰＭ捕集フィルタ内に非常に多量のＰＭが堆積してしまうと、ＰＭの燃焼時にＰＭ捕集フィルタが高温になって損傷を受けるおそれがある。そのため、そのような場合には、専門技術者や専門機器により予め設定された再生条件下でＰＭを数時間かけて緩慢に燃焼させる、いわゆるゆっくり焼き（ゆっくり再生）が行う必要がある。
【０００６】
このようなゆっくり再生を行うためには、専門技術者や専門機器を備えた施設に車両を持ち込む必要があるが、車両の運用効率が低下してしまうという問題がある。
【先行技術文献】
【特許文献】
【０００７】
【特許文献１】特開２００５−１６３１７号公報
【発明の概要】
【発明が解決しようとする課題】
【０００８】
本発明の目的は、車両の運用効率を低下させることなく、ＰＭ捕集フィルターを損傷させずに強制再生することができる排ガス浄化装置の管理システムを提供することにある。
【課題を解決するための手段】
【０００９】
上記の目的を達成する本発明の排ガス浄化装置の管理システムは、車両に搭載されたディーゼルエンジンの排ガスが流れる排気通路に、インジェクタと、前段に酸化触媒が配置されたＰＭ捕集フィルタを格納する格納容器とを上流側から順に設置してなる排ガス浄化装置を管理する管理システムであって、前記ディーゼルエンジン及び前記排ガス浄化装置を制御する制御手段と、前記格納容器の差圧と前記インジェクタからの燃料の噴射量及び噴射タイミングとの関係を示す予め設定されたマップデータを格納する前記車両の外部に設置された管理手段と、前記制御手段と前記管理手段との間のデータ交換を仲介する送受信機とを備え、前記管理手段は、前記制御手段から前記送受信機を通じて送信された前記ＰＭ捕集フィルタにおけるＰＭの堆積量が予め設定されたしきい値超となったときは、前記送信された堆積量と前記マップデータとに基づいて決定される前記インジェクタからの燃料の噴射量及び噴射タイミングを該送受信機を通じて該制御手段へ送信し、前記ディーゼルエンジンがアイドリング状態であることを前記制御手段を通じて確認した後に、前記送信したインジェクタからの燃料の噴射量及び噴射タイミングが実施されるように前記制御手段を通じて前記インジェクタを制御することを特徴とするものである。
【発明の効果】
【００１０】
本発明の排ガス浄化装置の管理システムによれば、車両を施設に持ち込むことなく、遠隔で送信された条件に基づいてＰＭ捕集フィルタに堆積したＰＭの緩慢な燃焼を実施するようにしたので、車両の運用効率を低下させることなく、ＰＭ捕集フィルターを損傷させずに強制再生することができる。
【図面の簡単な説明】
【００１１】
【図１】本発明の実施形態からなる排ガス浄化装置の管理システムの構成図である。
【発明を実施するための形態】
【００１２】
以下に、本発明の実施の形態について、図面を参照して説明する。図１は、本発明の実施形態からなる排ガス浄化装置の管理システムを示す。
【００１３】
この排ガス浄化装置の管理システム（以下、「管理システム」という。）は、車両に搭載されたディーゼルエンジン１の排ガスＧが流れる排気通路２に、燃料を噴射するインジェクタ３と、前段にＤＯＣ４が配置された触媒付きＰＭ捕集フィルタ５（以下、「ＰＭ捕集フィルタ」という。）を格納する格納容器６とを、上流側から順に設置してなる排ガス浄化装置７を管理するものである。
【００１４】
ＤＯＣ４は、排ガスＧの混合機能を有する構造に成形した金属製の担持体に、ロジウム、酸化セリウム、白金、酸化アルミニウム等を担持して形成される。また、ＰＭ捕集フィルタ５は、多孔質セラミック製のハニカムのチャンネル（セル）の入口と出口を交互に目封じしたモノリスハニカム型のウオールフローフィルタに、酸化触媒を塗布して形成される。
【００１５】
更に、車両の運転席には、ドライバーに警告を示す警告灯８と、手動再生スイッチ９とが設置されている。
【００１６】
これらのインジェクタ３、警告灯８及び手動再生スイッチ９は、ディーゼルエンジン１及び排ガス浄化装置７を制御する制御手段であるＥＣＵ１０に信号線（一点鎖線で示す）を通じて接続している。
【００１７】
ＥＣＵ１０は、格納容器６の両端の差圧データ等から、ＰＭ捕集フィルタ５にＰＭが捕集限界量の近くまで堆積したと判断すると、インジェクタ３から燃料を排気通路２を流れる排ガスＧ中に噴射させて、その燃料に含まれる未燃ＨＣやＣＯなどがＤＯＣ４において酸化する際の反応熱により排ガスＧを昇温させることでＰＭを強制的に燃焼させる自動再生を実施する。また、車両の走行状態等により自動再生だけではＰＭを完全に燃焼させることができないと判断したときには、警告灯８を点灯させてドライバーへの警告を行う。そして、警告を受けたドライバーにより手動再生スイッチ９がオンにされると、ディーゼルエンジン１がアイドリング状態にあることを確認した後に、インジェクタ３から燃料を排ガスＧ中に噴射させて、ＰＭを強制的に燃焼させる手動再生を実施する。
【００１８】
そして、管理システムは、車両の外部に設置された管理手段であるサーバー１１と、そのサーバー１１とＥＣＵ１０との間のデータ交換を仲介する送受信機１２とから構成されている。なお、送受信機１２における通信方式１３は、特に限定するものではないが、インターネットや衛星通信などが例示される。
【００１９】
このようなサーバー１１及び送受信機１２は、例えば、車両の運行情報システムである「みまもりくん」（いすゞ自動車株式会社の登録商標）に係る既存の機器を利用することができる。
【００２０】
サーバー１１には、ＰＭ捕集フィルタ５のゆっくり再生に関する専門技術者の知識や経験を反映したマップデータが格納されている。なお、ここで「ゆっくり再生」とは、格納容器６等に熱損傷を与えない温度でのＰＭの緩慢な燃焼を指すものとする。このマップデータとしては、格納容器６の差圧とインジェクタ３からの燃料の噴射量及び噴射タイミングとの関係を示すものが例示される。
【００２１】
このような管理システムにおいて、サーバー１１は、ＥＣＵ１０から送受信機１２を通じて送信されたＰＭ捕集フィルタ５におけるＰＭの堆積量が、予め設定されたしきい値超になったと判断したときは、その送信された堆積量とマップデータとから決定されるインジェクタ３からの燃料の噴射量及び噴射タイミングを、送受信機１２を通じてＥＣＵ１０へ送信する。
【００２２】
そしてサーバー１１は、ＥＣＵ１０によりディーゼルエンジン１がアイドリング状態にあることを確認した後に、あるいはドライバーにディーゼルエンジン１をアイドリング状態にすることを指示した後に、送信した燃料の噴射量や噴射タイミングが実施されるようにＥＣＵ１０を通じてインジェクタ３を制御する。
【００２３】
このように、車両を施設に持ち込むことなく、ＰＭ捕集フィルタ５のゆっくり再生を実施するようにしたので、車両の運用効率を低下させることなく、ＰＭ捕集フィルタ５を損傷させずに強制再生することができるのである。
【００２４】
また、遠隔操作によってゆっくり再生を行うので、ＰＭ捕集フィルタ５の強制再生に係る最新の知見を適用して、排ガス浄化装置７の性能を維持することが可能となる。
【符号の説明】
【００２５】
１  ディーゼルエンジン
２  排気通路
３  インジェクタ
４  ＤＯＣ
５  ＰＭ捕集フィルタ
６  格納容器
７  排ガス浄化装置
１０  ＥＣＵ
１１  サーバー
１２  送受信機
【図１】
2016160810.tif 000003